(57)【要約】      （修正有）【課題】過圧弁を介する圧力補償を必要とせず、より高い作動圧力を有する、支持構造として使用される膨張可能ビームを提供する。【解決手段】膨張可能ビーム１は、織布編組と、内側気密ライニングと、任意の外側保護コーティングとを有する消火ホース又は他の工業用シームレスホースを備え、膨張可能ビームは、長手方向に並んで配置された少なくとも３つのホース２のアセンブリから構成され、ホース２の端部は、閉鎖部によって閉鎖される。ホース２の少なくとも１つは、膨張媒体のための少なくとも１つの入口及び／又は排出部材を備える。ホース２は、それらの周囲の接触点にあり、又はホース２のアセンブリの長さに沿って離間された剛性接続部５によって機械的に接続されたそれらの周囲の最も近い距離の場所にあり、ホース２の隣接する接続部５間の少なくとも１つのホース２の少なくとも１つの長さＬは、これらの接続部５間の他のホース２の長さＭより短い。【選択図】図２
0003227079.tif 000002
【実用新案登録請求の範囲】
【請求項１】
織布編組と、内側気密ライニングと、任意の外側保護コーティングとを有する消火ホース又は他の工業用シームレスホースを備える膨張可能ビームであって、
前記膨張可能ビームは、長手方向に並んで配置された少なくとも３つのホース（２）のアセンブリから構成され、前記ホース（２）の端部は、閉鎖部（３）によって閉鎖され、
前記ホース（２）の少なくとも１つは、膨張媒体のための少なくとも１つの入口及び／又は排出部材（４）を備え、
前記ホース（２）は、それらの周囲の接触点にあり、又は前記ホース（２）の前記アセンブリの長さに沿って離間された剛性接続部（５）によって機械的に接続されたそれらの周囲の最も近い距離の場所にあり、前記ホース（２）の隣接する接続部（５）間の少なくとも１つのホース（２）の少なくとも１つの長さ（Ｌ）は、これらの接続部（５）間の他のホース（２）の長さ（Ｍ）より短いことを特徴とする、膨張可能ビーム。
【請求項２】
前記閉鎖部（３）は、閉鎖フランジ（６）及び／又はクランプ（７）及び／又は接着継手の形態であることを特徴とする、請求項１に記載の膨張可能ビーム。
【請求項３】
前記ホース（２）は、相互に空気圧的に接続されていることを特徴とする、請求項１又は２に記載の膨張可能ビーム。
【請求項４】
前記ホース（２）の相互の空気圧的接続部は、閉鎖弁、一方向弁、又は過圧弁を備えることを特徴とする、請求項３に記載の膨張可能ビーム。
【請求項５】
前記剛性接続部（５）は、前記ホース（２）の表面に、又は前記ホース（２）に取り付けられた前記ホース（２）のスリーブ（５１）に設けられることを特徴とする、請求項１〜４の何れか一項に記載の膨張可能ビーム。
【請求項６】
前記ホース（２）の前記アセンブリは、前記ホース（２）の前記アセンブリの少なくとも１つのスリーブ（５２）によって包囲されたその外周にあることを特徴とする、請求項１〜５の何れか一項に記載の膨張可能ビーム。
【請求項７】
前記ホース（２）の前記アセンブリの前記スリーブ（５２）は、前記ホース（２）の前記アセンブリの全長をカバーし、又は前記スリーブ（５２）は、前記ホース（２）の前記アセンブリの長さの一部をカバーし、前記剛性接続部（５）の位置において設置されていることを特徴とする、請求項６に記載の膨張可能ビーム。
【請求項８】
少なくとも２つのホース（２）の端部は、機械的に接続されていることを特徴とする、請求項１〜７の何れか一項に記載の膨張可能ビーム。
【請求項９】
前記ホース（２）の端部の機械的接続部は、共通のプラットフォーム（１０）に接続された前記ホース（２）の前記閉鎖部（３）から構成されていることを特徴とする、請求項８に記載の膨張可能ビーム。
【請求項１０】
前記ホース（２）の端部の機械的接続部は、前記ホース（２）の端部が設置されているスリーブ（１１）から構成されていることを特徴とする、請求項８に記載の膨張可能ビーム。
【請求項１１】
前記ホース（２）は、同じ直径を有することを特徴とする、請求項１〜１０の何れか一項に記載の膨張可能ビーム。
【請求項１２】
前記ホース（２）は、異なる直径を有することを特徴とする、請求項１〜１１の何れか一項に記載の膨張可能ビーム。
【請求項１３】
テント、ホール、又はハンガーを建てるための、請求項１〜１２の何れか一項に記載のビームの使用であって、前記ビーム（１）は一列に並ぶ、使用。
【請求項１４】
テント、ホール、又は屋根を建てるための、請求項１〜１２の何れか一項に記載のビームの使用であって、前記ビーム（１）は相互に横断する、使用。
【請求項１５】
舞台屋根の前縁を建てるための、請求項１〜１２の何れか一項に記載のビームの使用。
【請求項１６】
広告の膨張可能アーク（２２）の支持構造を建てるための、請求項１〜１２の何れか一項に記載のビームの使用。
【請求項１７】
独立したアーチ形の支持体を建てるための、請求項１〜１２の何れか一項に記載のビームの使用。
【請求項１８】
懸架された歩道橋（３７）の支持構造を建てるための、請求項１〜１２の何れか一項に記載のビームの使用。
【考案の詳細な説明】
【技術分野】
【０００１】
技術的解決策は、地上構造物のための、特に、テント、ハンガー、舞台、及び他の標準的及び非標準的なシェルタのような一時的な屋根を提供するための、並びに技術的製品及び歩道橋の保持及び懸架のため、又は落下に対する他の剛性若しくは膨張可能構造物の固定のための補助構造を提供するための膨張可能ビームに関する。
【背景技術】
【０００２】
膨張可能ビームは一般に既知であり、テント、屋根、シェルタ、等の支持構造として使用される。これらの膨張可能ビームは、典型的には、管状であり、連続的に膨張され、又は気密である。
【０００３】
連続的に膨張するビームの場合、問題点は、低い作動圧力（約１ｋＰａ）、それに関連するビームの必要な大きい直径、及び連続的な空気膨張の必要性である。
【０００４】
気密ビームの作動圧力は、典型的には、１５〜４０ｋＰａであり、これはビームの直径を大幅に減少させるために役立つ。しかし、それらを作る材料の強度に関しては、より高い圧力は望ましくない（破壊的である）ので、このようなビームは過圧弁を装備する必要がある。晴れた日の空気量の増加に起因する圧力の増加は、過圧弁によって補償されることが一般的である。しかし、その後、夜間の寒冷時には放出された空気は失われ、その支持構造であるテントは通常崩壊する。
【０００５】
上記の問題点を克服するためには、過圧弁を介する圧力補償を必要とせず、より高い作動圧力を有するシームレス膨張可能ビームが最も有利であると思われる。
【０００６】
上記の欠点を克服するために、例えば、容易に入手可能な消火ホースが使用される。屋根構造支持体としての消火ホースの使用は、特許文献１に開示される。この解決策は、有利には消火ホースから形成される膨張可能ビームを備える構造によって、一時的な屋根を形成することを可能にする。これらのホースは、それらの端部において、一列に配置された剛性支持要素に接続される。領域のためのカバーを作り出す場合に、剛性支持要素は、カバーされる領域の側面に沿って設置され、一方、これらの要素はまた、該ホースのための空気供給ダクトとして機能する。ホースは、それらのそれぞれの端部でこれらの支持要素に接続され、それは、膨張後、その結果、該支持要素間に一連のアーチであるアークをそれぞれ形成する。そして、カバーシートは、一連のアーチに固定される。この解決策は、端部（トンネル）において開放されたアーチ状のカバーを提供するが、支持要素のシステムに起因して、テント構造には適さない。
【０００７】
外側織物編組を有する標準的な消火ホース又は他の工業用シームレスホースで作られた膨張可能ビームとして使用される膨張可能支持構造を有するステントは、特許文献２から既知であり、ホースは、各端部においてプラグによって閉鎖され、その少なくとも１つは、空気膨張又は排出部材を備え、ホースの少なくとも１つの端部は、テントの外側カバー又はテントの床部分に取り付けられ、又はそれに対して設置される。外側織物編組と、内部気密ライニングとを有する標準的な消火ホース又は他の工業用シームレスホースの使用が、過圧弁による圧力補償を必要とせず、より高い作動圧力を可能にする。テント構造の形状及び全体の大きさは、この結果画定されて、外側環境の温度又は圧力の変化によって引き起こされる圧力変動においても変化しない。テントカバー及び床部分が一般に１つの部品を形成し、又はホースの端部が床部分に据えられるという事実に起因して、ホースは、特に外側カバー及び床部分の設計によって予め画定された形状に従って、実質的にアーチ形状に形成される。
【０００８】
特許文献２の膨張可能ビームは、膨張可能支持構造のための比較的安価な高強度要素を提供する。特許文献２に開示されるようなビームの１つの欠点は、このビームが膨張されている場合にそのアークにおける屈曲を保証する他のテントの部品と組合せてのみ使用できるということである。このようなビームは、膨張後に所望の形状を得ることができず、従って、例えば照明等の技術的製品を保持し、懸架するために役立つ、例えば独立したアークを形成するために使用されることができない。
【０００９】
特許文献２のビームを用いた構造物は、温度又は環境の変化に対して高強度及び安定性を有することは明らかであるが、特定の寸法までのみのテントを建てることができ、テント構造全体から独立するようなビームを使用することはできない。
【先行技術文献】
【特許文献】
【００１０】
【特許文献１】欧州特許第０８１０３３９号明細書
【特許文献２】スロバキア国登録実用新案第６７１５号明細書
【考案の概要】
【考案が解決しようとする課題】
【００１１】
この技術的解決策の目的は、その強度及びそれ自体の構造に起因する、特に、外側織物編組を有する標準的な消火ホース又は他の工業用シームレスホースから形成された膨張可能ビームの限定された使用からなる先行技術の欠点を実質的に排除することである。
【課題を解決するための手段】
【００１２】
この目的は、長手方向に並んで配置された、織布編組と、内部気密ライニングと、任意の外部保護コーティングとを有する、少なくとも３つの消火ホース又は他の工業用シームレスホースから構成される膨張可能ビームであって、ホースの端部が閉鎖部によって閉鎖され、ホースの少なくとも１つが膨張媒体のための少なくとも１つの入口及び／又は排出要素を備え、ホースがそれらの周囲の接触点にあり、又はホースの長さに沿って離間された剛性接続部によって機械的に接続されたそれらの周囲の最も近い距離の場所にあり、隣接する接続部間の少なくとも１つのホースの少なくとも１つの長さがこれらの接続部間の他のホースの長さより短いことを特徴とする、本技術的解決策によるに膨張可能ビームよって達成される。
【００１３】
この結果、ホースは、それらの安定性及び屈曲強度が増加し、ビームのアーチ形又は階段状のアーチ形状に予め画定されるように配置され、機械的に結合される。
【００１４】
バンドルのホースの固定接続部は、取り外し可能及び取り外し不可能とすることできる。取り外し不可能な接続部の場合に、ホース編組を接着又は縫製の何れかによってそれぞれの位置に直接接続することが可能である。言い換えれば、剛性接続部は、ホース表面に直接形成されることができる。
【００１５】
好ましくは、ホースアセンブリの剛性接続部は、ホースに対して不動であるホースのスリーブに設けられてもよい。スリーブの不動性は、例えば、ホースを密閉することによって、又はスリーブとホースとの間に剛性接続部を設けることによって、例えば、スリーブのために使用される材料に応じて、接着、（プラスチックの）溶接、縫製によって達成されることができる。このようなホーススリーブは、ホースの外周を包囲し、金属、プラスチック、布、複合材料、等のような種々の適切な材料で作られてもよい。そして、ホーススリーブの材料に対して適切な技術を使用して、スリーブ自体は、取り外し可能にも非取り外し不可能にも接続されることができる。
【００１６】
ビームの強度及びアセンブリのホースの安定性を改善するために、ホースアセンブリは、ホースアセンブリの少なくとも１つのスリーブによって外周において包囲されることができる。このホースアセンブリスリーブは、ホースアセンブリの全長をカバーしてもよく、すなわち、ホースアセンブリ全体に実質的に１つのみがある。更に、ホースアセンブリスリーブは、ホースアセンブリの長さの一部分のみをカバーしてもよく、一方、ホースアセンブリの全長に１つのみがあってもよく、又はホースアセンブリの全長に亘って互いに離間された複数のこのようなスリーブがあってもよい。複数のホースアセンブリスリーブで、ホースの剛性接続部の位置においてこれらのスリーブを設置することが最も好ましい。
【００１７】
アセンブリの個々のホースの剛性接続部は、好ましくは、膨張可能ビームが、ビームにおける個々のホースの安定性に関して、又はビームの横方向の寸法若しくは形状に関して、所与の数のホースのために膨張状態のビームにとって最も有利である、断面において、ホースの構成を有するように選択される。
【００１８】
アセンブリのホースの少なくとも１つは、隣接する剛性接続部間の少なくとも１つの長さがこれらの接続部間のアセンブリの他のホースの長さより短いので、このような部分においてホースを接続することによって、膨張されるホースがビームをアークに形成することを保証する。場合によっては、剛性接続間のホースの長さのための該条件がホースのある部分のためにのみ使用され、ホースの他の部分が所定のアセンブリにおける接続部間でホースの同じ長さを有する場合には、階段状のアークの形態でビームを提供することがまた可能であり、すなわち、アーチ形及び真っ直ぐの区分が組み合わされる。アークの半径又は曲率は、隣接する剛性接続部間のアセンブリのホースの長さの差を調整することによって、適切に予め選択されることができる。ビームがテント、屋根、又は同様の構造の一体部分として使用される場合には、その結果として生じる形状はまた、例えばテントの外側カバー、及び場合によってはテントの床である、ビームに隣接するテント、屋根、又は同様の構造物の一部によって影響を受け得る。
【００１９】
アセンブリのホースの剛性接続部はまた、ビームにおける点としても機能することができ、それで、ビームが、他の物体に、シェルタの屋根部分に、他のビームに相互に、又はビームの下に物体を懸架するために取り付けられることができる。
【００２０】
機械的接続の他に、アセンブリの個々のホースは、相互に空気圧的に接続されることができ、この結果、中央膨張、すなわち、アセンブリの１つのホースにおける１つの膨張部材を介して膨張するという利点を達成する。ホースの１つからの空気漏れの場合にビームの安全性を高めるために、一方向弁又は過圧弁を有する空気圧的接続部を設けることがまた可能である。
【００２１】
ホースの端部における閉鎖部は、ホースの断面に応じて通常円形である閉鎖フランジ、ホースを巻き上げることによって、接着剤を使用することによって任意に固定されるクランプの形態で作られてもよく、又は他の既知の方法によって作られてもよい。
【００２２】
アセンブリのホースの端部は、好ましくは、機械的に相互接続され、それによって、ビームは、安定した端部を有する。これは、ホースの端部を、例えば、金属プレート、ボード、等の共通のプラットフォームに機械的に取り付けることによって行われることができ、それによって、地面に直接据えられることができるベースが得られる。ホースの端部を共通のケースに設置することがまた可能であり、それによって、ビームがテントカバーに対して押圧される、一体化された床を備えるテントにおいて有利には使用可能なベースが設けられる。ホースの端部を接続することに関して、アセンブリの全てのホースの端部、又はホースの端部の一部のみを接続することが可能である。
【００２３】
力を受けるビームの形状安定性を改善するために、ホースアセンブリを弦で結ぶことが有利である。そして、最も好ましくは、アセンブリのホースの上記で説明された機械的接続の２点間である。
【００２４】
この技術的解決策においては、空気が最も利用可能な気体媒体として、ホースのための膨張媒体であると考えられる。しかし、窒素ガス又は二酸化炭素ＣＯ２等のような他の適切なガスが使用されることができることは明らかである。
【００２５】
外側織物編組と、内部気密ライニングとを有する標準的な消火ホース又は他の工業用シームレスホースの使用は、過圧弁による圧力補償を必要とせずに、より高い作動圧力を提供する。従って、この技術的解決法による膨張可能ビームの形状及び強度は、周囲温度又は圧力の変化によって引き起こされる圧力変動の場合にまた、充分に保証される。この技術的解決法によるビームの個々のホースの作動圧力は、１００〜１０００ｋＰａの範囲内であってもよく、一方、より大きい直径を有するホースにはより低い圧力が印加され、より小さい直径を有するホースにはより高い圧力が印加される。しかし、ホースにおける圧力は、常に、周囲圧力又は温度の変化に起因するホースにおける圧力の追加的な補償が何ら必要でないようなものである。
【００２６】
技術的解決策は、より詳細に添付図面において説明される。
【図面の簡単な説明】
【００２７】
【図１】この技術的解決策による、展開された、膨張されていないビームの概略側面図を示す。
【図２】この技術的解決策による、独立したビームの全体正面図を示す。
【図３】この技術的解決法による、ビームの端部の機械的接続部の変形例ａ、ｂ、ｃの軸測投象図を示す。
【図４】この技術的解決法による、ビームの断面におけるホースの配置の変形例ａ、ｂ、ｃ、ｄ、ｅ、ｆ、ｇ、ｈの概略図を示す。
【図５】この技術的解決策による、ビームのホースの機械的接続部の変形例ａ、ｂの概略図を示す。
【図６】ホースの端部の閉鎖部の変形例ａ、ｂ、ｃの概略図を示し、閉鎖部の断面Ａ−Ａ、Ｂ−Ｂの詳細である。
【図７】この技術的解決策による、ビームのホースの空気圧的接続部の変形例の概略図を示す。
【図８】この技術的解決策による、ビームを横断する変形例の軸測投象図を示し、ａがそれらの交差点の前で全ての方向でビームを終了させ、ｂがそれらの交差点の前で１つの方向でビームを終了させ、ｃがビームの交差を上昇させる。
【図９】この技術的解決策によるビームが一列に配置されたトンネル形状のテントの軸測投象図を示す。
【図１０】この技術的解決策によるビームが横断されたシェルタの軸測投象図を示す。
【図１１】この技術的解決策によるビームを有する舞台屋根の軸測投象図を示し、ａが２つのビームを有し、ｂが１つのビームを有する変形例である。
【図１２】この技術的解決策によるビームで構成された支持構造を有する広告の膨張可能アークの軸測投象図を示し、ａが広告の膨張可能アークの本体の内側に設置されたビームを有し、ｂが広告の膨張可能アークの本体の外側に設置されたビームを有する変形例である。
【図１３】この技術的解決法による、独立した支持体としてのビームの軸測投象図である。
【図１４】この技術的解決策による、懸架された歩道橋のためのアーチ形支持構造として機能する、ビームの配置の軸測投象図を示す。
【考案を実施するための形態】
【００２８】
この解決策による膨張可能ビーム１の基本的な実施形態は、図３、図４のａ、ｂ、図５のａ、ｂ、及び図７に最もよく見られるように、断面において三角形のレイアウトである３つのホースを備える。そして、図２によるこの解決策による膨張可能ビーム１は、長手方向に並んで配置された、織布編組と内部気密ライニングとを有する、３つの消火ホース又は他の工業用シームレスホース２のアセンブリから構成される。
【００２９】
各ホース２は、その端部の各々において閉鎖部３によって閉鎖される。ホース２の閉鎖部３の実施形態の変形例が図６に示され、変形例ａは、閉鎖フランジ６の形態の閉鎖部３を示し、変形例ｂは、クランプ７の形態の閉鎖部３を示し、変形例ｃは、空気通路８を有するクランプ７の形態の閉鎖部３を示す。ホース２の各々は、膨張媒体の少なくとも１つの入口及び／又は排出部材４を備える。図７に、入口及び／又は排出部材４の配置の変形例が示される、変形例ａは、ビーム１の各ホース２のために別個の入口／排出部材４、バルブを示し、変形例ｂは、１つのホース２における入口／排出部材４を示し、それに他のホース２がそれらのそれぞれの入口／排出部材４によって接続され、変形例ｃは、１つのホース２における入口／排出部材４を示し、それに他のホース２がそれらのそれぞれの入口／排出部材４によって接続され、一方、他のホース２が相互に接続される。
【００３０】
ホース２は、ホース２の長さに沿って離間される剛性接続部５によって長手方向に機械的に接続され、一方、隣接する剛性接続部５間の少なくとも１つのホース２の少なくとも１つの長さＬは、これらの接続部５間の他のホース２の長さＭより短い。
【００３１】
隣接する接続部５間の区分におけるホース２の長さＬ、Ｍは異なり、その結果、ビーム１は、ホース２から構成された個々の層Ｋにおいて異なる半径を有し、この結果、ビーム１全体は、膨張状態においてアーチ形状を有する。これは図１においてよく示される。この図においては、ビーム１の最小半径を有する下層Ｋ１を形成するホース２は、膨張して真っ直ぐである。ビーム１の次の層Ｋの他のホース２、すなわち、ビーム１の外側半径のホース２の層Ｋ２は、空であり又は部分的にのみ膨張している場合には、それらのより長い長さＭに起因して、接続要素５間に波形を形成する。
【００３２】
この実施形態においては、膨張可能ビーム１は、最初にホース２がビーム１の個々の層Ｋに対応する計算された全長、すなわちビーム１の計画された半径に短縮されるように作られる。続いて、それぞれの複数の接続部材５に対するホースの特定の割合部分を表す、それぞれのホース２における長さＬ、Ｍである、比例区分がマークされる。最後に、剛性接続部５は、マークされた長さＬ及びＭにおいてホース２に形成され、それによって、ビーム１のホース２は、共に堅固に接続され、すなわち、ホース２は、剛性接続部５の位置において互いに対して変位することができない。そして、全てのホース２は作動圧力まで膨張され、一方、剛性接続部５間の長さＬ、Ｍの差に起因して、結果として生じる膨張されたビーム１は、アークの形状に屈曲する。ビーム１が部分的に屈曲された形状を有し、この結果、アーク全体を有さない場合には、長さＬ及びＭの比例調整は、幾つかの選択された区分においてのみ行われる。
【００３３】
添付図面に示されるこの技術的解決策によるビーム１は、その全長に沿ってアーチ形であり、すなわち、全ての長さＬは、全てのそれぞれの長さＭより小さい。しかし、ビーム１の実施形態は、剛性接続部５間の１つ以上の区分において、長さＬを長さＭに等しく、又は実質的に等しくさせることが可能である。このような調整は、ビーム１の形状の変更が必要とされる場合には有利であり得、一方、このような真っ直ぐな区分は、要求に応じて、ビーム１の長さの任意の部分において、規則的に並びに不規則的に形成されことができる。ビームの該実施形態は、このようなビーム１の配置を想像することは容易であるので、図面には示されない。
【００３４】
剛性接続部５の特定の例示的な実施形態が、図４のａ、ｂに示される。図４によれば、剛性接続部５は、ホース２のスリーブ５１に形成される。スリーブ５１は、ホース２の周りに堅く包囲され、又はホース２に対するスリーブ５１の変位を防止するようにホース２に取り付けられることができる。そして、ホース２のスリーブ５１は、ホース２の周囲の接触点において剛性接続部５によって接続される。ホース２の円周の接触点は、この解決策の文脈において、及び実用新案登録請求の範囲の文脈において、編組であるホース２のそれ自体の表面、又はスリーブ５１の表面の接触点の何れかの実際の接触の場所として、或いは、剛性接続部５を他の接触方法で作る場合には、ホース２の表面又はスリーブ５１の表面の直接接触が、ネジ接続部、プレス接続部、等のような接続部自体の本体の存在に起因して可能でない場合、ホース２の周囲が互いに最も近い場所として、理解されるべきである。
【００３５】
スリーブ５１のこの例においては、接触面を有する剛性接続部５が図４のａに示され、スリーブ５１のこの例においては、接続部、例えばねじ接続部の本体の存在に起因して、表面が接触しない剛性接続部５が図４のｂに示される。
【００３６】
図４のａの例においては、特定の例示的な実施形態がまた示され、ホース２のアセンブリは、その外周においてホース２のアセンブリのスリーブ５２によって包囲される。このスリーブ５２は、別体として、すなわち、スリーブ５１のこの例においては剛性接続部５の部材とは独立して形成されてもよいが、それはまた、ホース２のアセンブリの外形の全体に対してスリーブ５１の外周における位置において接続されたホース２のスリーブ５１が使用されるように形成されることができる。
【００３７】
結果として生じるビーム１は、表面に、ホース２の１つ以上の端部を所定の表面に取り付けることによって取り付けられることができる。これは、有利には、図６のａに示されるように、閉鎖フランジにおけるアイアンカー９によって達成されることができる。ビーム１が１本のホース２のみ又はホース２の一部のみによって表面に取り付けられる場合、表面に取り付けられないホース２の端部は、別のタイプの閉鎖部３によって、例えば図６のｂ、ｃ及び図３のｃに示されるようなクランプ７によって閉鎖されてもよい。
【００３８】
ビーム１の安定性及び強度に関しては、１つ以上のホース２の端部を共通のプラットフォーム１０において機械的に接続することによってビーム１の端部を形成することが最も好ましい。このプラットフォーム１０は、例えば、金属プレート、ボード、又は他の最も好ましくは平坦なベースであってもよく、そしてそれは、表面において敷設されることができ、また、表面に対してビーム１の位置を固定するために、既知の方法によって表面に据えられることができる。
【００３９】
ホース２の端部を共通のスリーブ１１において設置することがまた可能であり、例えば、ビーム１がテントカバー２５に対して押圧される、一体化された床２６を備えるテントの内側で好ましくは使用されることができる、ビーム１の端部が得られる。このようなスリーブにおけるホース２の端部の接続に関して、ビーム１の全てのホース２の端部又は全てのホース２の端部のうちの一部のみを接続することがまた可能である。
【００４０】
ビーム１は、ホース２の本数に関しては、ホースの本数が３本であるビーム１として上記で説明されたが、それぞれの図において、ビーム１の内側半径のホース２の層Ｋ１は１本のホース２を備え、ビーム１の外側半径のホース２の層Ｋ２は２本のホース２を備える。
【００４１】
ビーム１のホース２の総数及びビーム１の個々の層Ｋにおけるホース２の数は、様々な配置を形成してもよく、ビーム１の荷重負担能力及び安定性に関する特定の要件に従って選択されてもよい。ホース２の配置例が図４におけるビーム１の断面図において示される。既に示されるように、ビーム１に他の数及び配置のホース２を設けることがまた可能であり、同じ直径のホース２、及びビーム１のそれぞれの層Ｋにおいて異なる直径を有するホース２をアセンブリに使用することがまた可能であることは明らかである。
【００４２】
垂直力が作用する間のビーム１の形状安定性を改善するために、ホースアセンブリ２を弦１２で結ぶことが有利である。そして、最も好ましくは、例えば図２に示されるように、ホース２の剛性接続部５の点においてこのような弦１２を取り付けることである。そして、弦１２はまた、他の要素、例えば図１１及び図１３に示されるような舞台照明を設置するためのランプとして機能することができる。この弦１２は、例えば、ロープ、剛性ビーム、等の形態を有してもよい。
【００４３】
ビーム１は、様々な用途において使用されることができ、その例が図９〜図１４に示される。
【００４４】
図９は、次々に一列に配置された複数のビーム１を有するテント、ホール、又はハンガーの一部としてのビーム１の使用の例を示す。この実施形態の例においては、ビーム１は、物体の外側カバー２５及び床２６によって画定される空間に配置され、一方、ビーム１及び外側カバー２５は、形状に関して互いに影響し合う。ビーム１は、その長さの大部分において外側カバー２５にもたれかかり、外側カバー２５は、ビーム２に取り付けられる。物体の床２６は、その寸法によってビーム１のスパンを画定する。物体はまた、床２６なしで作られることができる。この場合には、ビーム１の端部を、例えば、画定された長さの床ストリップ２７に、又は直接、地面若しくは他の表面に取り付ける必要がある。ビーム１は、剛性又は膨張可能間隔部材２８によって相互に離間されることができる。外側カバー２５の適切な設計、任意にビーム１と外側アンカー３０との間の対風構２９が、過酷な気候条件下においても物体の全体的な安定性を保証する。外側カバー２５のビーム１への固定は、既知の方法で行われ、最も好ましくは、ビーム１におけるホース２の剛性接続部５の位置において行われる。
【００４５】
図１０は、互いに横断する複数のビーム１を有するテント、ホール、又は屋根の一部としてのビームの使用を示す。先の実施形態と同様に、この実施形態の例においても、ビーム１は、物体の外側カバー２５及び床２６によって画定される空間において設置される。ビーム１の間隔と取付けはまた、先の例と同じように画定される。交差するホース２の接続部材３１は、特にホースの数、ビーム、及び接合角度に応じて、異なる形状及び構成をとってもよい。最も一般的な形状は、例えば「Ｘ」及び「Ｔ」である。交差する接続部材３１におけるホース２のそれぞれの閉鎖部３は、入口及び／又は排出部材４を含んでもよい。勿論、接続部材３１を使用しなくてもホース２を横断することがまた可能である。例えば、円屋根テントの特定の実施形態の例のために、接続部材３１は使用されず、この場合、ビーム１は中断されることなく上下に交差し、任意に、ビーム１のホース２の一部のみが中断され、それによってビーム１は相互に係合する。
【００４６】
図１１は、舞台屋根の一部としてのビーム１の使用を示す。膨張可能ビーム１は、舞台視覚性を画定する前縁として使用される。アンカー３０によって、例えば、外側アンカーロープによって、前後方向に堅固に据えられなければならないビーム１から、外側カバー２５は下方に傾斜し続け、そこで支持部材３３又は演台に取り付けられる。舞台のより深い場合には、上記で説明され、図９に示されるトンネルテントと同様に、外側カバー２５を含む２つ以上の膨張可能ビーム１を一列に配置することが可能である。後部ビーム１から、カバー２５は上記で説明されたように続き、又は舞台屋根は後部ビーム１によって終端される。使用される膨張可能ビーム１の何れもがまた、機器、照明、標識、等のためのキャリアとして使用されてもよい。
【００４７】
図１２は、広告用膨張可能アーク２２の安全支持構造としてのビーム１の使用を示す。図１２のａは、著しく低い圧力に膨張される広告の膨張可能本体２２内の膨張可能ビーム１の代替の設置を示す。そして、図１２のｂは、広告の膨張可能本体２２への、特に膨張可能アーク２２の内側直径の外側における、別個の取り付け要素としてのビーム１の代替の設置である。
【００４８】
膨張可能本体２２の内側設置の利点は、妨害されない設計であり、外側環境への露出が少なく、この結果、また、膨張可能カバー２２の動力故障又は破裂に起因する広告の膨張可能本体２２の崩壊の場合のための安全性且つ直接的な外側アンカー３０である。
【００４９】
図１３は、好ましくは、例えば、視聴覚又は照明装置、投影スクリーン、広告用標識、等の懸架のために使用される、独立した支持体としてのビーム１の使用を示す。独立した物体として、ビーム１は、外側アンカー３０によって前後方向に堅固に据えられなければならない。特に、図１３においては、照明が、弦１２に装着され、一方、荷重負担能力を増大させるために、弦１２が、ビーム１において、例えばロープとすることができる懸架部材３６に掛けられる。
【００５０】
図１４は、例えば、洪水の間に橋梁が破壊された場合に、一時的に懸架された歩道橋３７のための支持体として、２つのアーチ形のビーム１のアセンブリの使用を示す。例に示されるビーム１は、それらが接触する最高点において、平行に導かれて互いに対して傾斜し、同時に、それらは、水平スペーサ３５によってそれらの端部に向かう方向に離間される。ビーム１が互いに対して傾斜するが接触しない実施形態、及びビーム１がビーム１の全長に亘って水平スペーサ３５の同じ長さで互いに対して平行である実施形態がまた可能である。歩道橋３７の懸架部材３６、例えばロープが、ビーム１から、最も好ましくは剛性接続部５の位置から導かれる。ビーム１の端部は、地面にプラットフォーム１０を介して取り付けられ、歩道橋３７の端部は、それに又はその平面に取り付けられる。安全性を高めるために、外側アンカー３０によってアセンブリ全体を据えることがまた有利である。
【００５１】
実施形態の上記の例は、説明目的のためにのみ紹介され、如何なる方法においても、請求項によって画定される保護の範囲を限定するものではない。この技術的解決策で説明される原理を利用することによって、この技術的解決策によるビーム１の特定の使用の例として説明されるもの以外のビーム１を使用して、多数の用途を作り出すことが可能であることは明らかである。
【００５２】
この技術的解決策によるビーム１は、特に、簡略した物流、迅速な設置、及び省力化が重要な要因である一時的な構造物のために、剛性で安定した構造部材を提供する。
【図１】
0003227079.tif 000003
【図２】
0003227079.tif 000004
【図３ａ】
0003227079.tif 000005
【図３ｂ】
0003227079.tif 000006
【図３ｃ】
0003227079.tif 000007
【図４ａ】
0003227079.tif 000008
【図４ｂ】
0003227079.tif 000009
【図４ｃ】
0003227079.tif 000010
【図４ｄ】
0003227079.tif 000011
【図４ｅ】
0003227079.tif 000012
【図４ｆ】
0003227079.tif 000013
【図４ｇ】
0003227079.tif 000014
【図４ｈ】
0003227079.tif 000015
【図５ａ】
0003227079.tif 000016
【図５ｂ】
0003227079.tif 000017
【図６ａ】
0003227079.tif 000018
【図６ｂ】
0003227079.tif 000019
【図６ｃ】
0003227079.tif 000020
【図７ａ】
0003227079.tif 000021
【図７ｂ】
0003227079.tif 000022
【図７ｃ】
0003227079.tif 000023
【図８ａ】
0003227079.tif 000024
【図８ｂ】
0003227079.tif 000025
【図８ｃ】
0003227079.tif 000026
【図９】
0003227079.tif 000027
【図１０】
0003227079.tif 000028
【図１１ａ】
0003227079.tif 000029
【図１１ｂ】
0003227079.tif 000030
【図１２ａ】
0003227079.tif 000031
【図１２ｂ】
0003227079.tif 000032
【図１３】
0003227079.tif 000033
【図１４】
0003227079.tif 000034
【手続補正書】
【提出日】令和2年3月12日(2020.3.12)
【手続補正１】
【補正対象書類名】実用新案登録請求の範囲
【補正対象項目名】全文
【補正方法】変更
【補正の内容】
【実用新案登録請求の範囲】
【請求項１】
織布編組と、内側気密ライニングとを有する消火ホース又は他の工業用シームレスホースを備える膨張可能ビームであって、
前記膨張可能ビームは、長手方向に並んで配置された少なくとも３つのホース（２）を含むアセンブリから構成され、前記ホース（２）の端部は、閉鎖部（３）によって閉鎖され、
前記ホース（２）の少なくとも１つは、膨張媒体のための少なくとも１つの入口及び／又は排出部材（４）を備え、
前記ホース（２）は、それらの周囲の接触点にあり、又は前記アセンブリの長さに沿って離間された剛性接続部（５）によって機械的に接続されたそれらの周囲の最も近い距離の場所にあり、前記ホース（２）の隣接する接続部（５）間の少なくとも１つのホース（２）の少なくとも１つの長さ（Ｌ）は、これらの接続部（５）間の他のホース（２）の長さ（Ｍ）より短いことを特徴とする、膨張可能ビーム。
【請求項２】
前記閉鎖部（３）は、閉鎖フランジ（６）及び／又はクランプ（７）及び／又は接着継手の形態であることを特徴とする、請求項１に記載の膨張可能ビーム。
【請求項３】
前記ホース（２）は、相互に空気圧によって接続されていることを特徴とする、請求項１又は２に記載の膨張可能ビーム。
【請求項４】
前記ホース（２）を相互に空気圧によって接続する部分は、閉鎖弁、一方向弁、又は過圧弁を備えることを特徴とする、請求項３に記載の膨張可能ビーム。
【請求項５】
前記剛性接続部（５）は、各ホース（２）の表面に、又は各ホース（２）に取り付けられた各ホース（２）のスリーブ（５１）に設けられることを特徴とする、請求項１〜４の何れか一項に記載の膨張可能ビーム。
【請求項６】
前記アセンブリは、その外周において前記アセンブリの少なくとも１つのスリーブ（５２）によって包囲されていることを特徴とする、請求項１〜５の何れか一項に記載の膨張可能ビーム。
【請求項７】
前記アセンブリの前記スリーブ（５２）は、前記アセンブリの全長をカバーし、又は前記アセンブリの前記スリーブ（５２）は、前記アセンブリの長さの一部をカバーし、前記剛性接続部（５）の位置において設置されていることを特徴とする、請求項６に記載の膨張可能ビーム。
【請求項８】
少なくとも２つのホース（２）の端部は、機械的に接続されていることを特徴とする、請求項１〜７の何れか一項に記載の膨張可能ビーム。
【請求項９】
前記ホース（２）の端部の機械的接続部は、共通のプラットフォーム（１０）に接続された前記ホース（２）の前記閉鎖部（３）から構成されていることを特徴とする、請求項８に記載の膨張可能ビーム。
【請求項１０】
前記ホース（２）の端部の機械的接続部は、前記ホース（２）の端部が設置されているスリーブ（１１）から構成されていることを特徴とする、請求項８に記載の膨張可能ビーム。
【請求項１１】
前記ホース（２）は、同じ直径を有することを特徴とする、請求項１〜１０の何れか一項に記載の膨張可能ビーム。
【請求項１２】
前記ホース（２）は、異なる直径を有することを特徴とする、請求項１〜１１の何れか一項に記載の膨張可能ビーム。
【請求項１３】
請求項１〜１２の何れか一項に記載のビームによって建てられている構造物であって、複数のビーム（１）が一列に配置されている、構造物。
【請求項１４】
請求項１〜１２の何れか一項に記載のビームによって建てられている構造物であって、複数のビーム（１）が相互に横断する、構造物。
【請求項１５】
請求項１〜１２の何れか一項に記載のビームによって建てられている、舞台屋根の前縁。
【請求項１６】
請求項１〜１２の何れか一項に記載のビームによって建てられている、広告の膨張可能アーク（２２）の支持構造。
【請求項１７】
請求項１〜１２の何れか一項に記載のビームによって建てられている、独立したアーチ形の支持体。
【請求項１８】
請求項１〜１２の何れか一項に記載のビームによって建てられている、懸架された歩道橋（３７）の支持構造。